(57)【要約】  集積回路(IC)製品を製造するための方法およびそれによって形成されるIC製品。方法は、異なる機能をそれぞれ有する複数のICの中から選択された対応するICに接続されるように、それぞれが構成された、複数のIC接続セットを有するICパッケージを設計するステップを含む。様々なIC製品が、どの選択されたICがその対応する接続セットに接続されたかに応じて作り出されてよく、ICパッケージは、選択されないICに対応するIC接続セットを除外するために設計中に切断されてよい。完全なICパッケージを試験することによって、完全なICパッケージの一部分が、完全なICパッケージから切断されて、著しく低減された設計および試験の要件によって製造され得る。【特許請求の範囲】
【請求項１】
集積回路製品を製造するための方法であって、
集積回路接続セットの各々が複数の集積回路の中から選択された、対応する集積回路に接続されるように構成される、複数の前記集積回路接続セットを有する集積回路パッケージを設計するステップを含み、
前記集積回路パッケージが、選択されない集積回路に対応する集積回路接続セットを除外するために切断されてよく、
集積回路製品を選択的に形成するために、前記選択された集積回路の少なくとも1つを、前記対応する集積回路接続セットの少なくとも1つの上に接続するステップを含む、方法。
【請求項２】
前記接続するステップが、選択された集積回路を、対応する各集積回路接続セットに接続するステップと、得られた集積回路パッケージを試験するステップとを含む、請求項1に記載の方法。
【請求項３】
前記接続するステップが、前記選択された集積回路のすべてを、対応する集積回路接続セットに接続するステップと、得られた集積回路パッケージを試験するステップとを含む、請求項1に記載の方法。
【請求項４】
前記選択された集積回路チップの前記少なくとも1つが接続される前の設計段階の間に、前記試験済みの得られた集積回路パッケージを切断するステップをさらに含み、前記選択された集積回路の前記少なくとも1つに対応する前記集積回路接続セットの一部分だけが、前記集積回路製品に製造される、請求項3に記載の方法。
【請求項５】
前記集積回路接続セットが金属被覆パターンを含む、請求項1に記載の方法。
【請求項６】
前記複数の集積回路の各々が異なる機能を有する、請求項1に記載の方法。
【請求項７】
さらに、前記接続するステップが、前記集積回路製品の1つを選択的に形成するために、複数の前記選択された集積回路を、対応する集積回路接続セット上に接続するステップを含む、請求項1に記載の方法。
【請求項８】
さらに、前記接続するステップが、前記集積回路製品の1つを選択的に形成するために、前記選択された集積回路の1つを、対応する集積回路接続セット上に接続するステップを含む、請求項1に記載の方法。
【請求項９】
集積回路製品を製造するための方法であって、
集積回路接続セットの各々が複数の集積回路の中から選択された、対応する集積回路に接続されるように構成される、複数の前記集積回路接続セットを有する集積回路パッケージを設計するステップを含み、
異なる集積回路製品が、どの選択された集積回路がそれに対応する接続セットに接続されたかに応じて作り出されてよく、
前記集積回路パッケージが、選択されない集積回路に対応する集積回路接続セットを除外するために切断されてよく、
前記集積回路製品を選択的に形成するために、前記選択された集積回路の少なくとも1つを、前記対応する集積回路接続セットの少なくとも1つの上に接続するステップを含む、方法。
【請求項１０】
前記接続するステップが、選択された集積回路を、対応する各集積回路接続セットに接続するステップと、得られた集積回路パッケージを試験するステップとを含む、請求項9に記載の方法。
【請求項１１】
前記接続するステップが、前記選択された集積回路のすべてを、対応する集積回路接続セットに接続するステップと、得られた集積回路パッケージを試験するステップとを含む、請求項9に記載の方法。
【請求項１２】
前記選択された集積回路チップの前記少なくとも1つが接続される前の設計段階の間に、前記試験済みの得られた集積回路パッケージを切断するステップをさらに含み、前記選択された集積回路の前記少なくとも1つに対応する前記集積回路接続セットの一部分だけが、前記集積回路製品に製造される、請求項11に記載の方法。
【請求項１３】
前記集積回路接続セットが金属被覆パターンを含む、請求項9に記載の方法。
【請求項１４】
前記複数の集積回路の各々が異なる機能を有する、請求項9に記載の方法。
【請求項１５】
さらに、前記接続するステップが、前記集積回路製品の1つを選択的に形成するために、複数の前記選択された集積回路を、対応する集積回路接続セット上に接続するステップを含む、請求項9に記載の方法。
【請求項１６】
さらに、前記接続するステップが、前記集積回路製品の1つを選択的に形成するために、前記選択された集積回路の1つを、対応する集積回路接続セット上に接続するステップを含む、請求項9に記載の方法。
【請求項１７】
集積回路製品を製造するための方法であって、
集積回路接続セットの各々が複数の集積回路の中から選択された、対応する集積回路に接続されるように構成される、複数の前記集積回路接続セットを有する第1の集積回路パッケージを製造するステップと、
完全な集積回路パッケージを形成するために、前記複数の集積回路のうちの前記対応する集積回路を前記集積回路接続セットに接続するステップと、
前記完全な集積回路パッケージを試験するステップと、
前記第1の集積回路パッケージに基づいて第2の集積回路パッケージを設計するステップとを含み、前記第2の集積回路パッケージが、前記集積回路製品を形成するために前記複数の集積回路のうちの前記対応する集積回路のすべてよりも少ない集積回路を含む、方法。
【請求項１８】
前記設計するステップが、前記第2の集積回路パッケージを形成するために、前記完全な集積回路パッケージを切断するステップを含む、請求項17に記載の方法。
【請求項１９】
前記設計するステップが、前記集積回路製品を形成するために、前記複数の集積回路のうちの前記対応する集積回路の1つを含む前記第2の集積回路パッケージを設計するステップを含む、請求項18に記載の方法。
【請求項２０】
前記複数の集積回路の各々が異なる機能を有する、請求項17に記載の方法。
【請求項２１】
集積回路(IC)製品であって、
ICチップ接点を有するICチップを含むパッケージと、
基板と、
前記基板上の複数の基板接点と、
前記ICチップ接点および前記基板接点に接続された前記基板によって担持される複数のIC相互接続とを含み、
前記IC製品が、前記IC製品および少なくとも1つの他のIC製品を含む、試験されたICパッケージのサブセットとしてその設計中に切断される、集積回路(IC)製品。
【請求項２２】
前記相互接続が前記基板上の金属被覆パターンである、請求項21に記載の集積回路製品。
【請求項２３】
前記IC製品の各々が異なる機能を有する、請求項21に記載の集積回路組立体。
【請求項２４】
前記少なくとも1つの他のIC製品の各々が、追加のICチップ接点を有する追加のICチップと、前記基板上の複数の追加の基板接点と、前記追加のICチップ接点および前記追加の接点に接続された前記基板によって担持される複数の追加のIC相互接続とを含むパッケージを備える、請求項21に記載の集積回路組立体。
【請求項２５】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、および、固定ロケーションデータユニットから成る群から選択されたデバイスに組み込まれる、請求項21に記載の集積回路。
【請求項２６】
集積回路(IC)製品であって、
ICチップ接点を有するICチップを含むパッケージを提供するための手段と、
基板を提供するための手段と、
前記基板上の複数の基板接点を提供するための手段と、
前記ICチップ接点および前記基板接点に接続された前記基板によって担持される複数のIC相互接続を提供するための手段とを含み、
前記IC製品が、前記IC製品および少なくとも1つの他のIC製品を含む、試験されたICパッケージのサブセットとしてその設計中に切断される、集積回路(IC)製品。
【請求項２７】
基板と、
複数の集積回路接続セットとを備え、前記集積回路接続セットのうちの前記セットの各々が、対応する集積回路が前記セットに選択的に接続されることを可能にするように個別に構成され、それにより、異なる集積回路製品が、どの対応する集積回路が選択され、接続されたかに応じて作り出され得る、製造品。
【請求項２８】
前記異なる集積回路製品が、前記選択された集積回路によって形成される前記集積回路製品だけを含むために、設計中に前記基板および集積回路接続セットを切断することによって作り出され得る、請求項27に記載の製造品。
【請求項２９】
前記切断するステップの前に、前記複数の集積回路接続セットおよび前記対応する集積回路のすべてを試験するステップをさらに含む、請求項28に記載の製造品。
【請求項３０】
前記集積回路接続セットが金属被覆トレースである、請求項27に記載の製造品。
【請求項３１】
前記集積回路が選択的に接続され得る前記基板上に複数の接点をさらに備える、請求項27に記載の製造品。
【請求項３２】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、および固定ロケーションデータユニットから成る群から選択されたデバイスに組み込まれる、請求項27に記載の製造品。
【請求項３３】
基板を提供するための手段と、
複数の集積回路接続セットを提供するための手段とを備え、前記集積回路接続セットのうちの前記セットの各々が、対応する集積回路が前記セットに選択的に接続されることを可能にするように個別に構成され、それにより、異なる集積回路製品が、どの対応する集積回路が選択され、接続されたかに応じて作り出され得る、製造品。
【発明の詳細な説明】
【技術分野】
【０００１】
本明細書で説明するこの様々な実施形態は、一般に集積回路パッケージングに置ける改善に関し、より詳細には異なる製品と見なされ得る複数のパッケージ内の集積回路チップを構成するための方法および装置に関する。
【背景技術】
【０００２】
集積回路(IC)製品の設計は、困難で複雑なプロセスを伴う。たとえば、ICの顧客は、1つまたは複数の先在するパッケージングされたICを用いて遂行され得る、いくつかの機能を有するIC製品を要求する可能性がある。このシナリオでは、時には新規のICパッケージまたは「コンボ」ICパッケージが設計され、その中または上に、先在するICパッケージが組み合わされて相互接続される。新しいICパッケージは、次には、顧客に配送されて、顧客の特定のアプリケーション内に接続される。パッケージ設計者にとっての全体的な目標は、多様な回路機能を有するICパッケージを迅速に、効率的に、かつできるだけ経済的に配送することである。
【０００３】
しかしながら、これらの目標に対処することは、パッケージ設計者に対して多くの問題を提起する。コンピュータ支援設計ツールが広範囲に利用可能であるとはいえ、パッケージ設計プロセスは、依然として非常に複雑である。プロセスは、一般的には、パッケージが顧客に配送されて顧客自身の製作ニーズを満足し得るように構成された相互接続を用いて、先在するICを搭載することができるパッケージを設計することを伴う。このことを実施するために、パッケージは、所定の場所に先在するICパッケージとともに試験される必要があり、プロセスは本質的に、相当な時間がかかる。各製品は、個別に設計され、製造され、かつ試験される必要がある。しかしながら、ある顧客(または、別の顧客)が関連する製品を所望する場合、その製品は、最初から個別に設計されなければならず、再び、構築するために時間とリソースを必要とする。このことは、しばしば、顧客にとって苛立たしいこととなり得る。
【０００４】
しばしば、複数の先在するICパッケージは、単一のパッケージ内で接続されるが、製品を複数のパッケージに分割することが所望される場合は、各パッケージは、新しい製品であるものと見なされる必要がある。このことは、やはり、新しいパッケージ設計が最初から完遂されることを必要とする。加えて、製品の一部が古い設計の中に存在したとしても、その性能を新しいパッケージの中で保証するために、新しい製品が評価され、試験される必要がある。この伝統的な手法は、各パッケージが、電気的要件および基板製造プロセスを満たすためにシミュレートされ、カスタム設計されることを必要とし、そのことは、完了するために12か月またはそれ以上かかる可能性がある。2つの異なる製品の中で使用される集積回路チップをサポートするためには、必要なリソースが倍増するか、または開発サイクル時間がより長くなる。
【発明の概要】
【発明が解決しようとする課題】
【０００５】
必要なものは、集積回路および集積回路パッケージの設計における設計および検証のサイクル時間を節約するための方法および装置である。
【課題を解決するための手段】
【０００６】
広範な実施形態によれば、マルチダイ製品、およびマルチダイパッケージから単一のダイへのその派生製品、またはパッケージへの任意のダイスの組合せに対して、集積回路、パッケージ設計および検証のサイクル時間を最適化し、短縮するための方法が、開示される。
【０００７】
したがって、本発明の広範な実施形態によれば、集積回路およびパッケージ設計およびルーティングが、開発される集積回路を使用し得る複数の製品に対して再利用され、適用され得る。
【０００８】
集積回路製品を製造するための方法の一実施形態は、複数の集積回路接続セットを有する集積回路パッケージを設計するステップを含む。集積回路接続セットの各々は、複数の集積回路の中から選択された対応する集積回路に接続されるように構成される。異なる集積回路製品が、どの選択された集積回路がそれに対応する接続セットに接続されたかに応じて作り出されてよく、集積回路パッケージは、選択されない集積回路に対応する集積回路接続セットを除外するために切断されてよい。方法はまた、集積回路製品を選択的に形成するために、少なくとも1つの選択された集積回路を少なくとも1つの対応する集積回路接続セット上に接続するステップを含む。
【０００９】
方法を実施することにおいて、複数の集積回路が、対応する集積回路接続セットに接続され、得られた集積回路パッケージが試験される。その後、得られた集積回路パッケージによって提供される機能のサブセットの機能を有する集積回路製品が製造されることを所望される場合は、得られた集積回路パッケージは、所望の機能を実施するために必要な部分、および接続された所望のサブセットの機能を実施する集積回路だけを含むように、設計段階の間に切断される。
【００１０】
集積回路製品を製造するための方法の別の実施形態は、複数の集積回路接続セットを有する第1の集積回路パッケージを製造するステップを含む。集積回路接続セットの各々は、複数の集積回路の中から選択された、対応する集積回路に接続されるように構成される。複数の集積回路のうちの対応する集積回路は、完全な集積回路パッケージを形成するために、集積回路接続セットに接続され、完全な集積回路パッケージが試験される。その後、第1の集積回路パッケージに基づいて第2の集積回路パッケージが設計され、第2の集積回路パッケージは、集積回路製品を形成するために、複数の集積回路のうちの対応する集積回路のすべてよりも少ない集積回路を含む。第2の集積回路パッケージの設計の間に、完全な集積回路パッケージが、第2の集積回路パッケージを形成するために切断されてよい。
【００１１】
集積回路(IC)製品の一実施形態は、ICチップ接点を有するICチップと複数の基板接点を有する基板とを含むパッケージを含む。基板によって担持される複数のIC相互接続が、ICチップ接点および基板接点に接続される。IC製品は、IC製品および少なくとも1つの他のIC製品を含む、十分に試験されたICパッケージのサブセットとして、その設計中に切断される。
【００１２】
製造品の一実施形態は、基板と、複数の集積回路接続セットとを含む。集積回路接続セットのうちのセットの各々は、対応する集積回路が、セットに選択的に接続されることを可能にするように、個別に構成される。したがって、異なる集積回路製品が、どの対応する集積回路が選択され、接続されたかに応じて作り出されてよい。
【図面の簡単な説明】
【００１３】
【図１】集積回路パッケージを製造するための方法の例示的な実施形態を示すフロー図である。
【図２ａ】いくつかの集積回路を含み、そこから複数の集積回路製品が形成され得る、例示的な完全な集積回路パッケージの、図3aの2a-2aにおいて取られた切欠き上面図である。
【図２ｂ】図2aの完全な集積回路パッケージを切断することによって形成され得る集積回路製品の1つの、図3bの2b-2bにおいて取られた切欠き上面図である。
【図３ａ】完全な集積回路パッケージ(集積回路製品であってもよい)の、図2aの3a-3aにおいて取られた切欠き側面図である。
【図３ｂ】集積回路製品の、図2bの3b-3bにおいて取られた側面図である。
【図４ａ】いくつかの集積回路を含み、そこから複数の集積回路製品が形成され得る、例示的な別の完全な集積回路パッケージの、図5aの4a-4aにおいて取られた切欠き上面図である。
【図４ｂ】図4aの完全な集積回路パッケージを切断することによって形成され得る集積回路製品の1つの、図5bの4b-4bにおいて取られた切欠き上面図である。
【図５ａ】完全な集積回路パッケージ(集積回路製品であってもよい)の、図4aの5a-5aにおいて取られた切欠き側面図である。
【図５ｂ】集積回路製品の、図4bの5b-5bにおいて取られた側面図である。
【図６ａ】完全な集積回路パッケージのパッケージ相互接続の一例を示す、図4aの集積回路パッケージの、図5aの6a-6aにおいて取られた切欠き上面図である。
【図６ｂ】集積回路製品のパッケージ相互接続の一例を示す、図4bの集積回路製品の、図5bの6b-6bにおいて取られた切欠き上面図である。
【発明を実施するための形態】
【００１４】
図面の様々な図において、同様の参照番号は同様のまたは類似の部分を指すために用いられる。
【００１５】
集積回路製品が設計され製造され得る方法の一実施形態が、図1のフロー図10に示されており、そのフロー図を以下に参照する。ボックス12に示すように、複数の集積回路接続セットを有する集積回路パッケージが設計される。接続セットの一例について、図4〜図6と併せて以下により詳細に説明する。集積回路接続セットの各々は、異なる集積回路製品が、どの選択された集積回路がそれに対応する接続セットに接続されたかに応じて作り出されることを可能にするように、異なる機能をそれぞれが有する複数の集積回路の中から選択された、対応する集積回路に接続されるように構成される。
【００１６】
接続セットは、たとえば、よく知られている方法で形成される金属被覆のトレースまたはパターンであってよい。しかしながら、金属被覆パターンは、選択された集積回路の機能が、必要な場合に分離されながら依然として製品仕様に従って実行することを可能にするために、設計段階の間に切断または分離され得る方式で、形成される。
【００１７】
ボックス14で示すように、パッケージ基板が様々な接続セットで形成された後、選択された集積回路の各々が、完全な集積回路パッケージを形成するために、その対応する集積回路接続セットに接続される。ボックス16で示すように、次いで、得られた完全な集積回路パッケージが試験される。この時点で、様々な選択された集積回路パッケージを含む、得られた完全な集積回路パッケージは、本質的にそれ自体、完全な集積回路製品を含み、それによって提供される機能を所望するそれらの顧客に配送されてよい。
【００１８】
しかしながら、しばしば、顧客は、完全な集積回路パッケージのサブセットだけを希望し、たとえば顧客は、完全な集積回路パッケージ上に含まれる選択された集積回路の1つだけの機能を必要とする可能性がある。したがって、ボックス18で示すように、集積回路パッケージは、選択されない集積回路に対応する集積回路接続セットを除外するために切断されてよい。
【００１９】
したがって、完全な集積回路パッケージは十分に試験されているので、完全な集積回路パッケージのサブセットを有するパッケージの設計のために、完全な回路パッケージは、使用される特別なコンピュータ設計ツールを使用して、サブセットパッケージの設計段階の間に切断される。次いで、選択された集積回路は、集積回路製品を選択的に形成するために、その対応する集積回路接続セットに接続される。完全な集積回路パッケージは十分に試験されているので、上述のように、新しい集積回路製品は、もしあるとしても、追加の試験をほとんど必要としない。したがって、サブセット製品の総設計時間は、大幅に短縮される。
【００２０】
上で説明した方法は、次に付加的に参照する図2a、図2b、図3aおよび図3bに示す完全な集積回路パッケージ20および集積回路製品22からさらに諒解することができる。図2aは、いくつかの集積回路22、24および26を含み、それらから複数の集積回路製品が形成され得る、例示的な完全な集積回路パッケージ20の切欠き上面図である。図2aおよび図2bの図では、この例のための集積回路のそれぞれの配置を示すために、集積回路22、24および26のフットプリントだけが示され、集積回路の接点は、図3aおよび図3bにもっとも良く示される。
【００２１】
図2aおよび図3aに示すように、完全な集積回路パッケージ20は、基板28を含み、基板上に、集積回路22、24および26が担持される。基板28は、集積回路22、24および26の接点32と接続するいくつかの接触点30を含む(図3b参照)。図示の実施形態では、集積回路22、24および26は、接点32を有するあらかじめパッケージングされたチップであり、接点32によって、カプセル化された集積回路チップに対する電気接続がなされ得る。しかしながら、本明細書で説明した方法が実施され得る、集積回路チップの特定の実施形態は、達成されるべき最終のパッケージ構成に矛盾しない任意の構造であってよいことに留意されたい。
【００２２】
基板28は、図6に示す実施形態において以下に説明するタイプのいくつかの集積回路接続セット(図示せず)を含み、集積回路接続セットは、集積回路22、24および26の接続32を基板28の背面上のそれぞれの接点36と相互接続する。集積回路接続セットは、選択された集積回路を基板28の対応する接続36に相互接続するために製造される。さらに、その対応する集積回路接続セットに接続され得る選択された集積回路の各々は、異なる機能であってよい。したがって、たとえば、図2aおよび図3aの実施形態では、完全な集積回路パッケージ20が、携帯電話モデムのための完全な機能を提供することができ、集積回路24が、たとえばオーディオ部のための機能を提供し、集積回路26がデジタル部の機能を提供し、集積回路22がrf部に対する機能を提供する。
【００２３】
完全な集積回路パッケージが、たとえばコンピュータ支援設計ツールを使用して設計されると、そのパッケージは、それが適切に動作し、それ自体の集積回路製品として働くことができることを判断するのに必要な程度に試験されてよい。しかしながら、顧客が、完全な集積回路パッケージのサブセットのみの機能を有する集積回路製品を所望する場合は、集積回路製品は、たとえばコンピュータ支援設計ツールを使用することによって、所望の機能、およびそのまたはそれらの支援用集積回路接続セットを有する集積回路チップだけを含むように完全な集積回路パッケージを切断するように、容易に設計され得る。
【００２４】
したがって、集積回路製品40などの集積回路パッケージは、コンピュータ支援設計プロセスの間に、完全な集積回路パッケージ20から切断されてよい。その後、図2bおよび図3bに示すように、集積回路パッケージ22は、集積回路製品40を完成するために、対応する集積回路接続セットに接続されてよい。集積回路製品40は、たとえば、顧客が単独で使用可能なrf部の機能を有する集積回路製品であってよい。集積回路製品40は、完全な集積回路パッケージ20の設計および試験の間に前もって試験されているので、必要とされる最小の試験だけが実施される。集積回路製品40の製造について図示し、説明するが、集積回路製品は、同様に、個別の集積回路24、26またはそれらの任意の組合せから形成されてよいことに留意されたい。
【００２５】
完全な集積回路パッケージ50およびサブセット製品52の別の実施形態を、次に付加的に参照する図4a、図4b、図5a、図5b、図6aおよび図6bに示す。実施形態50では、2つの集積回路54および56が、完全な集積回路パッケージの中で設計され、製造される。完全な集積回路パッケージ50は、知られている方法で集積回路パッケージ54および56が接続される、様々な接続点60を有する基板58を含む。
【００２６】
基板58は、集積回路パッケージ54および56の接点62が接続される、いくつかの集積回路接続セットを有する。集積回路接続セットは、たとえば図6aおよび図6bに示す、金属被覆の層またはパターンとして製造されてよい。したがって、図示のように、集積回路接続セット64が、集積回路パッケージ54などの選択された集積回路パッケージに必要な接続に対応することができ、集積回路接続セット66が、集積回路パッケージ56などの選択された集積回路パッケージに必要な接続に対応することができる。集積回路接続セット64および66は、集積回路パッケージ54および56の接点62を基板58の底面上の適切な接続70に接続するように働く。完全な集積回路パッケージは個別の集積回路製品を形成するように選択的に切断され得るので、集積回路接続セットのレイアウトは、切断された集積回路製品の機能を損傷することなくそのような選択的切断が使用され得るように設計されてよい。
【００２７】
完全な集積回路パッケージ50が、たとえばコンピュータ支援設計ツールを使用して設計されると、そのパッケージは、それが適切に動作し、それ自体の集積回路製品として働くことができることを判断するのに必要な程度に試験されてよい。しかしながら、顧客が、完全な集積回路パッケージのサブセットのみの機能を有する集積回路製品を所望する場合は、集積回路製品は、たとえばコンピュータ支援設計ツールを使用することによって、所望の機能、およびそのまたはそれらの支援用集積回路接続セットを有する集積回路チップだけを含むように完全な集積回路パッケージを切断するように、容易に設計され得る。
【００２８】
したがって、集積回路製品52などの集積回路パッケージは、コンピュータ支援設計プロセスの間に、完全な集積回路パッケージ50から切断されてよい。その後、図4bおよび図5bに示すように、集積回路パッケージ54は、集積回路製品52を完成するために、対応する集積回路接続セットに接続されてよい。集積回路製品52は、完全な集積回路パッケージ50の設計および試験の間に前もって試験されているので、必要とされる最小の試験だけが実施される。集積回路製品52の製造について図示し、説明するが、集積回路製品は、同様に、個別の集積回路56から形成されてよいことに留意されたい。
【００２９】
上記に鑑みて、上で説明した技術は、開発サイクルを短縮することができ、任意のパッケージ設計において再利用される集積回路チップの性能を保証することができることが諒解されよう。すなわち、理想的な状況は、開発サイクル時間およびリソースを増大させることなく、独自に開発される集積回路、パッケージ設計およびルーティングを再利用し、多数の製品に適用することができ、同時に任意のパッケージにおける性能を保証することができることである。
【００３０】
この技術を使用して実現され得る恩恵の少なくともいくつかは、1つのIC設計だけが必要とされ、1つのパッケージ設計だけが必要とされ、1つの電気的シミュレーションだけが、同じパッケージを使用する多数の製品の電気的性能を検証するために必要とされることである。
【００３１】
次に付加的に参照する図7は、本明細書で説明するタイプの集積回路の一実施形態が有利に使用され得る、例示的なワイヤレス通信システム70を示す。例示のために、図7は、遠隔ユニット72、74および76ならびに2つの基地局78を示している。一般的なワイヤレス通信システムは、当然、より多くの遠隔ユニットおよび基地局を有することができる。遠隔ユニット72、74および76ならびに基地局78はいずれも、本明細書で説明するタイプの集積回路を含むことができる。
【００３２】
図7は、基地局78から遠隔ユニット72、74、および76への順方向リンク信号80、ならびに遠隔ユニット72、74、および76から基地局78への逆方向リンク信号82を示す。
【００３３】
図7では、遠隔ユニット72は携帯電話として示され、遠隔ユニット74はポータブルコンピュータとして示され、遠隔ユニット76は、たとえば住宅84または他の構造物におけるワイヤレスローカルループシステム内の固定ロケーション遠隔ユニットとして示されている。たとえば、遠隔ユニットはセルフォン、ハンドヘルドパーソナル通信システム(PCS)ユニット、携帯情報端末などのポータブルデータユニット、または、メータ読取り機器などの固定ロケーションデータユニットでもよい。図7は、本明細書で説明するタイプの集積回路を含むことができるいくつかの例示的な遠隔ユニットを示すが、集積回路はこれらの例示的な図示の遠隔ユニットに限定されるものではない。1つまたは複数の本明細書で説明するタイプの集積回路が、任意の電子デバイス内で適切に使用され得る。たとえば、電子デバイスはまた、図7における囲い86で示すように、セットトップボックス、音楽プレーヤ、ビデオプレーヤ、エンターテインメントユニット、ナビゲーションデバイス、コンピュータ、ポータブルデータユニット、固定ロケーションデータユニットなどであってもよい。他の適切な電子デバイスは、多種多様である。
【００３４】
「例」または「例示的な」という語は、本明細書では、「それ以外のものの例、図解、性質または特性として働く」ことを意味するために使用される。本明細書で「例」または「例示的」として説明されるいかなる実施形態も、必ずしも他の実施形態よりも好ましいまたは有利であると解釈すべきではない。
【００３５】
本発明の実施形態は、ある程度の具体性を伴って説明され例示されたが、本開示は単に例示として行われ、一部分の組合せおよび配置に対する多くの変更が、以下で特許請求されるような本発明の趣旨および範囲から逸脱することなく、講じられてもよいことを理解されたい。
【符号の説明】
【００３６】
20  完全な集積回路パッケージ
22  集積回路
24  集積回路
26  集積回路
28  基板
30  接触点
32  接点
36  接点、接続
40  集積回路製品
50  完全な集積回路パッケージ
52  サブセット製品、集積回路製品
54  集積回路パッケージ、集積回路
56  集積回路パッケージ、集積回路
58  基板
60  接続点
62  接点
64  集積回路接続セット
66  集積回路接続セット
70  接続、ワイヤレス通信システム
72  遠隔ユニット
74  遠隔ユニット
76  遠隔ユニット
78  基地局
80  順方向リンク信号
82  逆方向リンク信号
【図１】
2014500607.tif 000002
【図２Ａ】
2014500607.tif 000003
【図２Ｂ】
2014500607.tif 000004
【図３Ａ】
2014500607.tif 000005
【図３Ｂ】
2014500607.tif 000006
【図４Ａ】
2014500607.tif 000007
【図４Ｂ】
2014500607.tif 000008
【図５Ａ】
2014500607.tif 000009
【図５Ｂ】
2014500607.tif 000010
【図６Ａ】
2014500607.tif 000011
【図６Ｂ】
2014500607.tif 000012
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
集積回路製品を製造するための方法であって、
集積回路接続セットの各々が複数の集積回路の中からアクティベーションのために選択された、対応する集積回路に接続されるように構成される、複数の集積回路接続セットを有する集積回路パッケージを設計するステップと、
前記集積回路パッケージ設計から、選択されない集積回路に対応する集積回路接続セットを除外するステップと、
集積回路製品を選択的に形成するために、前記選択された集積回路の少なくとも1つを前記対応する集積回路接続セットの少なくとも1つの上に接続するステップと
を含む、方法。
【請求項２】
前記接続するステップが、選択された集積回路を、対応する各集積回路接続セットに接続するステップと、得られた集積回路パッケージを試験するステップとを含む、請求項1に記載の方法。
【請求項３】
前記接続するステップが、前記選択された集積回路のすべてを、対応する集積回路接続セットに接続するステップと、得られた集積回路パッケージを試験するステップとを含む、請求項1に記載の方法。
【請求項４】
前記集積回路の少なくとも1つが接続されるのを防止するために、設計段階の間に、前記集積回路接続セットの少なくとも1つを、前記試験済みの得られた集積回路パッケージから切断するステップをさらに含み、前記選択された集積回路の前記少なくとも1つに対応する前記集積回路接続セットの一部分だけが、前記集積回路製品に製造される、請求項3に記載の方法。
【請求項５】
前記集積回路接続セットが金属被覆パターンを含む、請求項1に記載の方法。
【請求項６】
前記複数の集積回路の各々が異なる機能を有する、請求項1に記載の方法。
【請求項７】
前記接続するステップが、前記集積回路製品を選択的に形成するために、複数の前記選択された集積回路を、対応する集積回路接続セット上に接続するステップを含む、請求項1に記載の方法。
【請求項８】
前記接続するステップが、前記集積回路製品を選択的に形成するために、前記選択された集積回路の1つを、対応する集積回路接続セット上に接続するステップを含む、請求項1に記載の方法。
【請求項９】
異なる集積回路製品が、どの選択された集積回路がそれに対応する接続セットに接続されたかに応じて作り出される、請求項1に記載の方法。
【請求項１０】
集積回路製品を製造するための方法であって、
集積回路接続セットの各々が複数の集積回路の中から選択された、対応する集積回路に接続されるように構成される、複数の前記集積回路接続セットを有する第1の集積回路パッケージを製造するステップと、
完全な集積回路パッケージを形成するために、前記複数の集積回路のうちの前記対応する集積回路を前記集積回路接続セットに接続するステップと、
前記完全な集積回路パッケージを試験するステップと、
前記第1の集積回路パッケージに基づいて第2の集積回路パッケージを設計するステップとを含み、前記第2の集積回路パッケージが、前記集積回路製品を形成するために前記複数の集積回路のうちの前記対応する集積回路のすべてよりも少ない集積回路を含む、方法。
【請求項１１】
前記設計するステップが、前記第2の集積回路パッケージを形成するために、前記集積回路接続セットの少なくとも1つを前記完全な集積回路パッケージから切断するステップを含む、請求項10に記載の方法。
【請求項１２】
前記設計するステップが、前記集積回路製品を形成するために、前記複数の集積回路のうちの前記対応する集積回路の1つを含む前記第2の集積回路パッケージを設計するステップを含む、請求項11に記載の方法。
【請求項１３】
前記複数の集積回路の各々が異なる機能を有する、請求項10に記載の方法。
【請求項１４】
基板と、
複数の集積回路接続セットを有する集積回路パッケージとを備え、前記集積回路接続セットのうちの前記セットの各々が、対応する集積回路が前記セットに選択的に接続されることを可能にするように個別に構成され、前記集積回路製品を形成するために、すべての集積回路より少ない集積回路が選択され、接続される、集積回路製品の製造品。
【請求項１５】
前記集積回路製品の機能が、前記選択された集積回路によって設定される、請求項14に記載の製造品。
【請求項１６】
前記集積回路接続セットが金属被覆トレースである、請求項14に記載の製造品。
【請求項１７】
前記集積回路が選択的に接続される前記基板上に複数の接点をさらに備える、請求項14に記載の製造品。
【請求項１８】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、および固定ロケーションデータユニットから成る群から選択されたデバイスに組み込まれる、請求項14に記載の製造品。
【請求項１９】
基板を提供するための手段と、
複数の集積回路接続セットを有する集積回路パッケージを提供するための手段とを備え、前記集積回路接続セットのうちの前記セットの各々が、対応する集積回路が前記セットに選択的に接続されることを可能にするように個別に構成され、前記集積回路製品を形成するために、すべての集積回路より少ない集積回路が選択され、接続される、集積回路製品の製造品。
【請求項２０】
請求項1から9のいずれか一項に記載の方法をコンピュータに実行させるために少なくとも1つの命令を含む、コンピュータ可読媒体。